(57)【要約】【課題】簡単な構成で、対象物へ照射される積算光量を均一にすることができる。【解決手段】光源１１は、長手方向が前記対象物の走査方向に対して傾いて設けられた複数のランプ１１ｘ（発光領域）が２次元状に配列されている。走査方向に隣接する第１ランプと第２ランプとの走査方向と略直交する方向の間隔をＰとすると、第１ランプ及び第２ランプの両端は、走査方向と略直交する方向にＰ／ｎ（ｎは１以上の整数）だけずれており、第１ランプの第２ランプ側の端と、第２ランプの前記第１ランプ側の端は、走査方向と略直交する方向にＰ−Ｐ／ｎ（ｎは１以上の整数）だけずれている。また、光源１１において、ランプ１１ｘが走査方向にａ（ａは２以上の整数）個並べられているとすると、第１ランプと、第１ランプと走査方向と略直交する方向に隣接する第３ランプとの間隔は、Ｐ×ａである。【選択図】  図４
2018004946.tif 000002
【特許請求の範囲】
【請求項１】
偏光光が照射される対象物が載置されるステージと、
長手方向が前記対象物の走査方向に対して傾いて設けられた複数のランプを有し、当該複数のランプが２次元状に配列された光源と、
前記光源と前記ステージとの間に設けられ、前記光源から照射された光を偏光する偏光部材と、
を備え、
前記複数のランプのうち、前記走査方向に隣接する第１ランプと第２ランプとの前記走査方向と略直交する方向の間隔をＰとすると、前記第１ランプ及び前記第２ランプの両端は、前記走査方向と略直交する方向にＰ／ｎ（ｎは１以上の整数）だけずれており、
前記第１ランプの前記第２ランプ側の端と、前記第２ランプの前記第１ランプ側の端は、前記走査方向と略直交する方向にＰ−Ｐ／ｎ（ｎは１以上の整数）だけずれており、
前記光源において、前記ランプが前記走査方向にａ（ａは２以上の整数）個並べられているとすると、前記第１ランプと、前記第１ランプと前記走査方向と略直交する方向に隣接する第３ランプとの間隔は、Ｐ×ａである
ことを特徴とする偏光光照射装置。
【請求項２】
前記偏光部材は、２次元状に配列された複数の偏光子を有し、
前記ランプには、前記偏光子が少なくとも２つ設けられ、
前記第１ランプに設けられた第１偏光子と第２偏光子との対応する点を結んだ線の傾きは、前記ランプの傾きと略同一である
ことを特徴とする請求項１に記載の偏光光照射装置。
【請求項３】
前記第１ランプに設けられた第１偏光子と、前記第３ランプに設けられた第３偏光子との間には、第１空隙を有し、
前記第２ランプに設けられた第１偏光子と、前記第２ランプと前記走査方向と略直交する方向に隣接する第４ランプに設けられた第４偏光子との間には、第２空隙を有し、
前記第１空隙と前記第２空隙とは、前記走査方向と直交する方向の位置が重なっている
ことを特徴とする請求項１又は２に記載の偏光光照射装置。
【発明の詳細な説明】
【技術分野】
【０００１】
本発明は、偏光光照射装置に関する。
【背景技術】
【０００２】
特許文献１には、光配向膜の搬送方向に対して直交する方向に伸びる線状の光源が光配向膜の搬送方向に沿って多段に配置され、光源の伸びる方向に沿って複数のワイヤーグリッド偏光素子が並べられている光配向用偏光光照射装置が開示されている。特許文献１に記載の光配向用偏光光照射装置においては、各段におけるワイヤーグリッド偏光素子の間の境界部が、他の段の境界部と光配向膜の搬送方向に対して互い重ならないような配置となっている。
【０００３】
特許文献２には、光照射部を、光配向膜の表面に平行な面上で、光配向膜に対して相対的に基準位置から所定の角度で回転させる偏光光照射装置が開示されている。
【先行技術文献】
【特許文献】
【０００４】
【特許文献１】特許第４８１５９９５号公報
【特許文献２】特開２０１５−１０６０１５号公報
【発明の概要】
【発明が解決しようとする課題】
【０００５】
特許文献１に記載の発明では、ワイヤーグリッド偏光素子の間の境界部が重ねらないようにして、照度ムラを無くすことを目的としている。しかしながら、特許文献１に記載の発明のように、長い棒状のランプを用いる場合には、ランプの長さが原因で、ランプ全体にわたって均一な強度の光を照射することは困難である。その結果、対象物へ照射される積算光量にムラが生じるという問題がある。このような問題は、ワイヤーグリッド偏光素子の並べ方を工夫しても解決することができない。
【０００６】
それに対し、特許文献２に記載の発明では、ランプが短いため、ランプ全体にわたって均一な強度の光を照射することができる。また、特許文献２に記載の発明では、ランプ毎に光の強さを調整することができるため、光量の調整が可能である。しかしながら、特許文献２に記載の発明では、光照射部を回転させると、光源と一緒に偏光子も回転してしまうという問題がある。また、特許文献２に記載の発明では、光照射部を回転等させる機構が大掛かりとなり、装置が大型化してしまうという問題もある。
【０００７】
本発明はこのような事情に鑑みてなされたもので、簡単な構成で、対象物へ照射される積算光量を均一にすることができる偏光光照射装置を提供することを目的とする。
【課題を解決するための手段】
【０００８】
上記課題を解決するために、本発明に係る偏光光照射装置は、例えば、偏光光が照射される対象物が載置されるステージと、長手方向が前記対象物の走査方向に対して傾いて設けられた複数のランプを有し、当該複数のランプが２次元状に配列された光源と、前記光源と前記ステージとの間に設けられ、前記光源から照射された光を偏光する偏光部材と、を備え、前記複数のランプのうち、前記走査方向に隣接する第１ランプと第２ランプとの前記走査方向と略直交する方向の間隔をＰとすると、前記第１ランプ及び前記第２ランプの両端は、前記走査方向と略直交する方向にＰ／ｎ（ｎは１以上の整数）だけずれており、前記第１ランプの前記第２ランプ側の端と、前記第２ランプの前記第１ランプ側の端は、前記走査方向と略直交する方向にＰ−Ｐ／ｎ（ｎは１以上の整数）だけずれており、前記光源において、前記ランプが前記走査方向にａ（ａは２以上の整数）個並べられているとすると、前記第１ランプと、前記第１ランプと前記走査方向と略直交する方向に隣接する第３ランプとの間隔は、Ｐ×ａであることを特徴とする。
【０００９】
本発明に係る偏光光照射装置によれば、光源は、長手方向が前記対象物の走査方向に対して傾いて設けられた複数のランプ（ランプの端が発光領域の端である）が２次元状に配列されており、走査方向に隣接する第１ランプと第２ランプとの走査方向と略直交する方向の間隔をＰとすると、第１ランプ及び第２ランプの両端は、走査方向と略直交する方向にＰ／ｎ（ｎは１以上の整数）だけずれており、第１ランプの第２ランプ側の端と、第２ランプの前記第１ランプ側の端は、走査方向と略直交する方向にＰ−Ｐ／ｎ（ｎは１以上の整数）だけずれている。また、光源において、ランプが走査方向にａ（ａは２以上の整数）個並べられているとすると、第１ランプと、第１ランプと走査方向と略直交する方向に隣接する第３ランプとの間隔は、Ｐ×ａである。これにより、ｎ回の露光により対象物Ｗの全ての領域がランプ１１ｘの下を通過するため、対象物へ照射される積算光量を均一にすることができる。また、特別な機構（例えば、回転機構）を有しないため、簡単な構成とすることができる。
【００１０】
ここで、前記偏光部材は、２次元状に配列された複数の偏光子を有し、前記ランプには、前記偏光子が少なくとも２つ設けられ、前記第１ランプに設けられた第１偏光子と第２偏光子との対応する点を結んだ線の傾きは、前記ランプの傾きと略同一であってもよい。これにより、ランプから照射される光の外側の一部が偏光子により遮られて光量が低下すること、いわゆるケラレを防止することができる。
【００１１】
ここで、前記第１ランプに設けられた第１偏光子と、前記第３ランプに設けられた第３偏光子との間には、第１空隙を有し、前記第２ランプに設けられた第１偏光子と、前記第２ランプと前記走査方向と略直交する方向に隣接する第４ランプに設けられた第４偏光子との間には、第２空隙を有し、前記第１空隙と前記第２空隙とは、前記走査方向と直交する方向の位置が重なっていてもよい。これにより、偏光子の大きさを小さくし、また、隣接するランプ同士の走査方向と略直交する方向の間隔を狭くすることができる。
【発明の効果】
【００１２】
本発明によれば、簡単な構成で、対象物へ照射される積算光量を均一にすることができる。
【図面の簡単な説明】
【００１３】
【図１】第１の実施の形態に係る偏光光照射装置１の概略を示す正面図である。
【図２】偏光照射部１０の概略を示す平面図である。
【図３】偏光照射部１０を側面から見たときの概略を示す要部透視図である。
【図４】偏光照射部１０の平面図であり、偏光照射部１０を部分的に拡大した図である。
【図５】偏光光照射装置１の電気的な構成を示すブロック図である。
【図６】偏光光照射装置１の露光時における、ランプ１１ｘの位置と対象物Ｗとの位置関係を示す図である。
【図７】偏光照射部１０Ａについて説明する図である。
【図８】偏光光照射装置２の１回目の露光時における、ランプ１１ｘの位置と対象物Ｗとの位置関係を示す図である。
【図９】偏光光照射装置２の２回目の露光時における、ランプ１１ｘの位置と対象物Ｗとの位置関係を示す図である。
【図１０】偏光照射部１０Ｂについて説明する図である。
【図１１】偏光光照射装置３の１回目の露光時における、ランプ１１ｘの位置と対象物Ｗとの位置関係を示す図である。
【図１２】偏光光照射装置３の２回目の露光時における、ランプ１１ｘの位置と対象物Ｗとの位置関係を示す図である。
【図１３】従来の偏光光照射装置１００の概略及び偏光光照射装置１００を用いた場合の積算光量を示す図である。
【発明を実施するための形態】
【００１４】
以下、本発明の実施形態を、図面を参照して詳細に説明する。
＜第１の実施の形態＞
【００１５】
図１は、第１の実施の形態に係る偏光光照射装置１の概略を示す正面図である。偏光光照射装置１は、例えば、光源からの光を偏光膜を通過させて偏光を得、この偏光をガラス基板等（以下、対象物Ｗという）の被露光面に照射して、液晶パネル用の配向膜等を生成するものである。以下、対象物Ｗの搬送方向をｙ方向とし、搬送方向に直交する方向をｘ方向とし、鉛直方向をｚ方向とする。
【００１６】
偏光光照射装置１は、主として、偏光照射部１０と、ステージ２０と、ステージ駆動部３０と、を有する。
【００１７】
偏光照射部１０は、対象物Ｗに偏光を照射する。偏光照射部１０については後に詳述する。ステージ２０は、ｘ方向及びｙ方向に移動可能に設けられる。ステージ２０の上面には、対象物Ｗが載置される。ステージ駆動部３０は、ｙ方向に延設されたステージガイドレール３１と、アクチュエータ等を有する駆動部３２と、を有する。駆動部３２は、ステージガイドレール３１（すなわち、走査方向）に沿ってステージ２０を移動させる（図１の太矢印参照）。また、駆動部３２は、ステージ２０を走査方向（ｙ方向）と略直交するシフト方向（ｘ方向）にシフト量（後に詳述）だけ移動させる。ステージ駆動部３０がステージ２０を移動させる構成は、すでに公知であるため、説明を省略する。
【００１８】
次に、偏光照射部１０について詳細に説明する。図２は、偏光照射部１０の概略を示す平面図である。図３は、偏光照射部１０を側面から見たときの概略を示す要部透視図である。
【００１９】
偏光照射部１０は、主として、光源１１と、特定波長透過フィルタ１２と、偏光部材１３と、リフレクタ１４（図示省略）と、を有する。なお、図２では、特定波長透過フィルタ１２及びリフレクタ１４の図示を省略している。
【００２０】
光源１１は、複数のランプ１１ｘを含む。ランプ１１ｘは、発光長が略２００ｍｍと短い棒状のランプであり、偏光していない光（例えば、紫外光）を照射する。ランプ１１ｘとして、光配向処理に必要な短波長紫外光（例えば、２５４ｎｍ波長光）を効率よく発光するロングアークランプを用いることができる。なお、本発明においては、ランプ１１ｘ全体が発光するものであり、ランプ１１ｘの両端が発光領域の端であるとする。
【００２１】
複数のランプ１１ｘは、２次元状に配列される。図２に示す例では、光源において、ランプ１１ｘは、ｘ方向に１３個、ｙ方向に４個並べられており、−ｙ側から順にＡ列、Ｂ列、Ｃ列、Ｄ列の４つの光源列を有する。なお、ランプ１１ｘの数は図２に示す場合に限られない。光源１１は、ｘ方向、ｙ方向ともに、２個以上のランプ１１ｘが並べられていれば良い。
【００２２】
ランプ１１ｘは、長手方向がｙ方向に対して傾いている。ランプ１１ｘの配置については、後に詳述する。
【００２３】
光源１１の下側（−ｚ側）、すなわちランプ１１ｘとステージ２０との間には、特定波長透過フィルタ１２及び偏光部材１３が設けられる。ランプ１１ｘから照射された光は、リフレクタ１４で反射され、特定波長透過フィルタ１２と、偏光部材１３（偏光子１３ｘ）を通過して、対象物Ｗに照射される（図３参照）。
【００２４】
特定波長透過フィルタ１２は、特定の波長範囲の光だけを透過し、他の波長の光を吸収するようにつくられたフィルタである。特定波長透過フィルタ１２は、板状のガラス（石英ガラス等）である透明基板上に、特定の波長範囲の光だけを透過させるバンドパスフィルタのフィルタ層が形成されている。ただし、透明基板上に形成されるフィルタはバンドパスフィルタに限られず、例えばローカットフィルタや反射フィルタであってもよい。
【００２５】
偏光部材１３は、複数の偏光子１３ｘを有する。偏光子１３ｘとしては、入射角度依存性の少ないワイヤーグリッド偏光子が用いられる。ワイヤーグリッド偏光子とは、透明基板１３ａ（図３参照）の表面に金属線１３ｂ（図３参照）が形成されたものである。金属線１３ｂのピッチを入射する光の波長以下にすることで、金属線１３ｂの長手方向に略平行な偏光成分を反射し、金属線１３ｂの長手方向と略直交する偏光成分を通過させる。金属線１３ｂは、例えばアルミニウムで形成される。具体的には、偏光子１３ｘは、図３に示すように、金属線１３ｂの長手方向がｙ方向に沿っており、ｘ方向の偏光成分を通過させる。なお、偏光子１３ｘは、ワイヤーグリッド偏光子に限られず、任意の方向の光のみを透過させる様々な種類の偏光子を用いることができる。
【００２６】
複数の偏光子１３ｘは、２次元状に配列される。偏光子１３ｘは、無偏光の光を偏光するものであり、特定波長透過フィルタ１２とステージ２０との間に設けられる。なお、偏光子１３ｘは、ランプ１１ｘ毎に１つずつ設けられてもよいし、ランプ１１ｘ毎に２つ以上設けられてもよい。本実施の形態では、偏光子１３ｘは、１つのランプ１１ｘに対して２個ずつ、ｙ方向に隣接して設けられる。偏光子１３ｘの配置については、後に詳述する。
次に、ランプ１１ｘの配置について説明する。図４は、偏光照射部１０の平面図であり、偏光照射部１０を部分的に拡大した図である。
【００２７】
ランプ１１ｘは、長手方向がｙ方向に対して傾いている。ｙ方向に隣接するランプ１１ｘ（例えば、図４におけるランプ１１ｘ−１、１１ｘ−２）の間隔をｐとすると、ランプ１１ｘの両端は、ｘ方向にｐ／ｎ（ｎは１以上の整数）だけずれている。また、ランプ１１ｘ−１のランプ１１ｘ−２側の端と、ランプ１１ｘ−２のランプ１１ｘ−１側の端とは、ｘ方向の位置がｐ−ｐ／ｎ（ｎは１以上の整数）だけずれている。
【００２８】
本実施の形態では、ｎ（露光回数）は１であり、先に示した関係にｎ＝１を代入すると、ランプ１１ｘの両端は、ｐ／１＝ｐだけずれている。また、ランプ１１ｘ−１のランプ１１ｘ−２側の端と、ランプ１１ｘ−２のランプ１１ｘ−１側の端とは、ｘ方向の位置がｐ−ｐ／１＝０だけずれている、すなわちｘ方向の位置が一致している。ここで、ｐ＝３６ｍｍとすると、ランプ１１ｘの両端のｘ方向の位置は３６ｍｍだけ離れており、θ＝１０．４度である。
【００２９】
さらに、光源１１において、ランプ１１ｘがｙ方向にａ（ａは２以上の整数）個並べられているとすると、同じ列内において隣接するランプ１１ｘ同士のｘ方向の間隔、すなわちランプ１１ｘ−１とランプ１１ｘ−３とのｘ方向の間隔は、ｐ×ａである。本実施の形態では、ａは４である。したがって、ランプ１１ｘ−１とランプ１１ｘ−３とのｘ方向の間隔は、ｐ×４＝４ｐである。
【００３０】
次に、偏光子１３ｘの配置について、図４を用いて説明する。図４に示す例では、ランプ１１ｘ−１には、ｙ方向に隣接して２つの偏光子１３ｘ、すなわち偏光子１３ｘ−１ａ、偏光子１３ｘ−１ｂが設けられる。同様に、ランプ１１ｘ−２〜１１ｘ−１０には、偏光子１３ｘ−２ａ〜１３ｘ−１０ａ、偏光子１３ｘ−２ｂ〜１３ｘ−１０ｂが設けられる。
【００３１】
ランプ１１ｘに設けられた複数の偏光子１３ｘの対応する点を結んだ線の傾きは、ランプ１１ｘの傾きと略同一である。図４に示す例では、ランプ１１ｘ−３に設けられた２つの偏光子１３ｘ−３ａ、偏光子１３ｘ−３ｂの対応する点である角Ｃ１、角Ｃ２を結ぶ線のｙ方向とのなす角度は、ランプ１１ｘの傾きθである。
【００３２】
このように偏光子１３ｘを配置することで、ランプ１１ｘから照射される光の外側の一部が偏光子１３ｘにより遮られて光量が低下すること、いわゆるケラレを防止することができる。
【００３３】
ｘ方向に隣接する偏光子１３ｘ同士は、それぞれ空隙を有する。そして、任意の光源列に存在する空隙のｘ方向の位置と、他の光源列に存在する空隙のｘ方向の位置と、が重なっている。
【００３４】
図４に示す例では、偏光子１３ｘ−１ａ、偏光子１３ｘ−１ｂと、偏光子１３ｘ−３ａ、偏光子１３ｘ−３ｂとの間には、それぞれ空隙Ｓ１、Ｓ２を有する。偏光子１３ｘ−２ａ、偏光子１３ｘ−２ｂと、偏光子１３ｘ−４ａ、偏光子１３ｘ−４ｂとの間には、それぞれ空隙Ｓ３、Ｓ４を有する。偏光子１３ｘ−５ａ、偏光子１３ｘ−５ｂと、偏光子１３ｘ−６ａ、偏光子１３ｘ−６ｂとの間には、それぞれ空隙Ｓ５、Ｓ６を有する。偏光子１３ｘ−７ａ、偏光子１３ｘ−７ｂと、偏光子１３ｘ−８ａ、偏光子１３ｘ−８ｂとの間には、それぞれ空隙Ｓ７、Ｓ８を有する。偏光子１３ｘ−６ａ、偏光子１３ｘ−６ｂと、偏光子１３ｘ−９ａ、偏光子１３ｘ−９ｂとの間には、それぞれ空隙Ｓ９、Ｓ１０を有する。偏光子１３ｘ−８ａ、偏光子１３ｘ−８ｂと、偏光子１３ｘ−１０ａ、偏光子１３ｘ−１０ｂとの間には、それぞれ空隙Ｓ１１、Ｓ１２を有する。なお、図４における点線は、空隙Ｓ１〜Ｓ１２を説明するためのものであり、実存するものではない。
【００３５】
そして、Ａ列にある空隙Ｓ２とＢ列にある空隙Ｓ３、Ｂ列にある空隙Ｓ４とＣ列にある空隙Ｓ５、及び、Ｃ列にある空隙Ｓ６とＤ列にある空隙Ｓ７は、それぞれ、ｘ方向の位置が重なっている。また、Ａ列にある空隙Ｓ１とＣ列にある空隙Ｓ１０、及びＡ列にある空隙Ｓ１とＤ列にある空隙Ｓ１１、Ｓ１２は、それぞれ、ｘ方向の位置が重なっている。さらに、Ｂ列にある空隙Ｓ３とＤ列にある空隙Ｓ１２は、ｘ方向の位置が重なっている。
このようにすることで、偏光子１３ｘの大きさを小さくし、また、隣接するランプ１１ｘ同士のｘ方向の間隔を狭くすることができる。
【００３６】
図５は、偏光光照射装置１の電気的な構成を示すブロック図である。偏光光照射装置１は、主として、制御部１０１、記憶部１０２、入力部１０３、出力部１０４を含んで構成される。
【００３７】
制御部１０１は、演算装置であるＣＰＵ（Ｃｅｎｔｒａｌ  Ｐｒｏｃｅｓｓｉｎｇ  Ｕｎｉｔ）等のプログラム制御デバイスであり、記憶部１０２に格納されたプログラムにしたがって動作する。制御部１０１の詳しい動作の内容については、後に詳述する。
【００３８】
記憶部１０２は、不揮発性メモリ、揮発性メモリ等であり、制御部１０１によって実行されるプログラム等を保持するとともに、制御部１０１のワークメモリとして動作する。記憶部１０２には、シフト方向、シフト量（例えば、Ｐ／ｎ）、露光回数ｎ等の情報が保持されている。露光回数ｎは、装置に固有の数であり、偏光光照射装置１ではｎ＝１である。
【００３９】
入力部１０３は、キーボードやマウス等の入力デバイスを含む。本実施の形態では、入力部１０３から、対象物Ｗに関する情報が入力される。出力部１０４は、ディスプレイ等である。
【００４０】
偏光光照射装置１の作用について説明する。処理を行う前には、ステージ２０は図１に示す初期位置にある。制御部１０１は、偏光照射部１０から光を照射させつつ、駆動部３２を介してステージ２０（すなわち、対象物Ｗ）を走査方向であるｙ方向に移動させて（１スキャン）、偏光照射部１０から照射された光を対象物Ｗの被露光面に照射して配向膜等を生成する露光処理を行う。制御部１０１は、記憶部１０２に記憶されている露光回数だけ、露光処理を繰り返す。本実施の形態ではｎ＝１であるため、ステージ２０が一往復したら、制御部１０１は、１枚の対象物Ｗに対する処理を終了する。
【００４１】
図６は、偏光光照射装置１の露光時における、ランプ１１ｘの位置と対象物Ｗとの位置関係を示す図である。ランプ１１ｘの両端がｐ／１＝ｐだけずれており、ランプ１１ｘ−１とランプ１１ｘ−２とのｘ方向の間隔がｐであり、ランプ１１ｘ−１のランプ１１ｘ−２側の端と、ランプ１１ｘ−２のランプ１１ｘ−１側の端とは、ｘ方向の位置が一致している。したがって、露光時には、対象物Ｗの全ての領域がランプ１１ｘの下を通過する。
【００４２】
本実施の形態によれば、露光時には、対象物Ｗの全ての領域がランプ１１ｘの下を通過するため、対象物へ照射される積算光量を均一にすることができる。
【００４３】
例えば、長い棒状のランプをｘ方向に沿って設ける場合には、ランプ全体から均一な強度の光を照射することは困難であるため、対象物へ照射される積算光量にムラが生じる。また、ランプ全体から均一な強度の光を照射することができる短い棒状のランプ１１ｘを用いたとしても、図１３に示すように、ランプ１１ｘの長手方向がｙ方向に沿った偏光照射部１００を用いる場合には、ランプ１１ｘの下を通過する部分と通過しない部分との間で積算光量がばらついてしまう。
【００４４】
それに対し、本実施の形態では、ランプ１１ｘを斜めに設けることで、ランプ１１ｘの下を通過しない領域が対象物Ｗに存在しなくなり、その結果対象物へ照射される積算光量を均一にすることができる。
【００４５】
また、本実施の形態によれば、ランプ１１ｘを斜めに設けるだけであり、回転機構等が不要であるため、偏光光照射装置１を簡単な構成とすることができる。さらに、偏光子１３ｘを小さくして、偏光光照射装置１を小型化することができる。
【００４６】
＜第２の実施の形態＞
本発明の第１の実施の形態は、ランプ１１ｘの両端がｐ／１＝ｐだけずれており、ランプ１１ｘ−１のランプ１１ｘ−２側の端と、ランプ１１ｘ−２のランプ１１ｘ−１側の端との、ｘ方向の位置を一致させることで、１回の露光で、対象物Ｗの全ての領域をランプ１１ｘの下を通過させたが、露光時に対象物Ｗの全ての領域をランプ１１ｘの下を通過させる形態はこれに限られない。
【００４７】
第２の実施の形態は、複数回の露光で、対象物Ｗの全ての領域をランプ１１ｘの下を通過させる形態である。以下、第２の実施の形態の偏光光照射装置について説明する。第１の実施の形態の偏光光照射装置１と、第２の実施の形態の偏光光照射装置２との差異は、偏光照射部の構成のみであるため、以下、第２の実施の形態の偏光光照射装置２における偏光照射部１０Ａについてのみ説明し、他については図示及び説明を省略する。また、第１の実施の形態と同一の部分については、同一の符号を付し、説明を省略する。
【００４８】
図７は、偏光照射部１０Ａについて説明する図である。偏光照射部１０Ａは、主として、光源１１Ａと、特定波長透過フィルタ１２（図示省略）と、偏光部材１３Ａと、リフレクタ１４（図示省略）と、を有する。
【００４９】
光源１１Ａは、複数のランプ１１ｘを含み、偏光部材１３Ａは、複数の偏光子１３ｘを含む。
【００５０】
本実施の形態では、ｎは２である。光源１１Ａにおいて、ｙ方向に隣接するランプ１１ｘ（例えば、図７におけるランプ１１ｘ−２１、１１ｘ−２２）の間隔をｐとすると、ランプ１１ｘの両端は、ｘ方向にｐ／ｎ、すなわちＰ／２だけずれている。また、ランプ１１ｘ−２１のランプ１１ｘ−２２側の端と、ランプ１１ｘ−２２のランプ１１ｘ−２１側の端とは、ｘ方向の位置がｐ−ｐ／ｎ、すなわちＰ／２だけずれている。ここで、ｐ＝４８ｍｍとすると、ランプ１１ｘの両端のｘ方向の位置は２４ｍｍだけ離れており、θ＝６．９度である。
【００５１】
さらに、光源１１Ａにおいて、ランプ１１ｘがｙ方向にａ（ここでは、ａは３）個並べられているとすると、同じ列内において隣接するランプ１１ｘ同士のｘ方向の間隔、すなわちランプ１１ｘ−２１とランプ１１ｘ−２３とのｘ方向の間隔は、ｐ×ａ、すなわち３ｐである。
【００５２】
また、ある光源列に存在する空隙のｘ方向の位置と、他の光源列に存在する空隙のｘ方向の位置と、が重なっている。例えば、Ａ列にある空隙Ｓ２２とＢ列にある空隙Ｓ２３、及び、Ｂ列にある空隙Ｓ２４とＣ列にある空隙Ｓ２５は、それぞれ、ｘ方向の位置が重なっている。また、Ａ列にある空隙Ｓ２１とＣ列にある空隙Ｓ２６は、ｘ方向の位置が重なっている。
【００５３】
偏光光照射装置２の作用について説明する。本実施の形態ではｎ＝２であるため、制御部１０１は、１枚の対象物Ｗに対する処理においてステージ２０を一往復させる（２スキャン）。まず、制御部１０１は、偏光照射部１０から光を照射させつつ、駆動部３２を介してステージ２０（すなわち、対象物Ｗ）を走査方向であるｙ方向に移動（一往復）させて、偏光照射部１０から照射された光を対象物Ｗの被露光面に照射して配向膜等を生成する露光処理を行う。
【００５４】
次に、制御部１０１は、駆動部３２を介して、ステージ２０をシフト方向にシフト量だけ移動させる。そして、制御部１０１は、１回目と同様に、ステージ２０をｙ方向に一往復させて露光処理を行う。
【００５５】
図８は、偏光光照射装置２の１回目の露光時における、ランプ１１ｘの位置と対象物Ｗとの位置関係を示す図である。図９は、偏光光照射装置２の２回目の露光時における、ランプ１１ｘの位置と対象物Ｗとの位置関係を示す図である。図８、９においては、１回目の露光時に露光される領域を領域Ｅ、２回目の露光時に露光される領域を領域Ｆとして、それぞれ網掛け表示している。
【００５６】
ランプ１１ｘ−２１とランプ１１ｘ−２２とのｘ方向の間隔がｐであり、ランプ１１ｘの両端がｐ／２だけずれており、ランプ１１ｘ−１のランプ１１ｘ−２側の端と、ランプ１１ｘ−２のランプ１１ｘ−１側の端とは、ｐ／２だけずれている。したがって、２回目の露光時には、対象物Ｗにおいて１回目の露光時にランプ１１ｘの下を通過しなかった領域（ここでは、領域Ｆ）が、ランプ１１ｘの下を通過する。したがって、対象物Ｗの全ての領域（ここでは、領域Ｅ、Ｆ）がランプ１１ｘの下を通過する。
【００５７】
本実施の形態によれば、露光時には、対象物Ｗの全ての領域がランプ１１ｘの下を通過するため、対象物へ照射される積算光量を均一にすることができる。なお、本実施の形態では、ｎは２であったが、ｎは２以上の整数であればよい。
【００５８】
＜第３の実施の形態＞
第３の実施の形態は、第２の実施の形態と同様、複数回の露光で、対象物Ｗの全ての領域をランプ１１ｘの下を通過させる形態である。以下、第３の実施の形態の偏光光照射装置について説明する。第１の実施の形態の偏光光照射装置１と、第３の実施の形態の偏光光照射装置３との差異は、偏光照射部の構成のみであるため、以下、第３の実施の形態の偏光光照射装置３における偏光照射部１０Ｂについてのみ説明し、他については図示及び説明を省略する。また、第１の実施の形態又は第２の実施の形態と同一の部分については、同一の符号を付し、説明を省略する。
【００５９】
図１０は、偏光照射部１０Ｂについて説明する図である。偏光照射部１０Ｂは、主として、光源１１Ｂと、特定波長透過フィルタ１２（図示省略）と、偏光部材１３Ｂと、リフレクタ１４（図示省略）と、を有する。
【００６０】
光源１１Ｂは、複数のランプ１１ｘを含み、偏光部材１３Ｂは、複数の偏光子１３ｘを含む。本実施の形態では、ｎは２である。光源１１Ｂにおいて、ｙ方向に隣接するランプ１１ｘ（例えば、図７におけるランプ１１ｘ−３１、１１ｘ−３２）の間隔をｐとすると、ランプ１１ｘの両端は、ｘ方向にｐ／ｎ、すなわちｐ／２だけずれている。また、ランプ１１ｘ−２１のランプ１１ｘ−２２側の端と、ランプ１１ｘ−２２のランプ１１ｘ−２１側の端とは、ｘ方向の位置がｐ−ｐ／ｎ、すなわちｐ／２だけずれている。ここで、ｐ＝３６ｍｍとすると、ランプ１１ｘの両端のｘ方向の位置は１８ｍｍだけ離れており、θ＝５．２度である。
【００６１】
さらに、光源１１Ｂにおいて、ランプ１１ｘがｙ方向にａ（ここでは、ａは４）個並べられているとすると、同じ列内において隣接するランプ１１ｘ同士のｘ方向の間隔、すなわちランプ１１ｘ−１とランプ１１ｘ−３とのｘ方向の間隔は、ｐ×ａ、すなわち４ｐである。
【００６２】
そして、隣接する光源列に存在する空隙のｘ方向の位置と、３列隣りの光源列に存在する空隙のｘ方向の位置と、が重なっている。図１０に示す例では、Ａ列にある空隙Ｓ３２とＢ列にある空隙Ｓ３３、Ｂ列にある空隙Ｓ３４とＣ列にある空隙Ｓ３５、及び、Ｃ列にある空隙Ｓ３６とＤ列にある空隙Ｓ３７は、それぞれ、ｘ方向の位置が重なっている。また、Ａ列にある空隙Ｓ３１とＤ列にある空隙Ｓ３８は、ｘ方向の位置が重なっている。
【００６３】
偏光光照射装置３の作用について説明する。本実施の形態ではｎ＝２であるため、制御部１０１は、偏光光照射装置２と同様に、１枚の対象物Ｗに対する処理においてステージ２０を一往復させる。
【００６４】
図１１は、偏光光照射装置３の１回目の露光時における、ランプ１１ｘの位置と対象物Ｗとの位置関係を示す図である。図１２は、偏光光照射装置３の２回目の露光時における、ランプ１１ｘの位置と対象物Ｗとの位置関係を示す図である。図１１、１２においては、１回目の露光時に露光される領域を領域Ｇ、２回目の露光時に露光される領域を領域Ｈとして、それぞれ網掛け表示している。２回目の露光時には、対象物Ｗにおいて１回目の露光時にランプ１１ｘの下を通過しなかった領域（ここでは、領域Ｈ）が、ランプ１１ｘの下を通過する。したがって、対象物Ｗの全ての領域（ここでは、領域Ｈ、Ｇ）がランプ１１ｘの下を通過する。
【００６５】
本実施の形態によれば、露光時には、対象物Ｗの全ての領域がランプ１１ｘの下を通過するため、対象物へ照射される積算光量を均一にすることができる。
【００６６】
なお、本実施の形態では、隣接する光源列に存在する空隙のｘ方向の位置と、３列隣りの光源列に存在する空隙のｘ方向の位置と、が重なっているが、２列隣りの光源列に存在する空隙のｘ方向の位置は重なっていない。しかしながら、少なくとも隣接する光源列に存在する空隙のｘ方向の位置が重なっていれば、偏光子１３ｘの大きさを小さくして、隣接するランプ１１ｘ同士のｘ方向の間隔を狭くするという効果を得ることができる。
【００６７】
以上、この発明の実施形態を、図面を参照して詳述してきたが、具体的な構成はこの実施形態に限られるものではなく、この発明の要旨を逸脱しない範囲の設計変更等も含まれる。
【００６８】
また、本発明において、「略」とは、厳密に同一である場合のみでなく、同一性を失わない程度の誤差や変形を含む概念である。例えば、略平行とは、厳密に平行の場合には限られない。また、例えば、単に平行、直交等と表現する場合において、厳密に平行、直交等の場合のみでなく、略平行、略直交等の場合を含むものとする。
【符号の説明】
【００６９】
１、２、３          ：偏光光照射装置
１０、１０Ａ、１０Ｂ：偏光照射部
１１、１１Ａ、１１Ｂ：光源
１１ｘ              ：ランプ
１２                ：特定波長透過フィルタ
１３、１３Ａ、１３Ｂ：偏光部材
１３ａ              ：透明基板
１３ｂ              ：金属線
１３ｘ              ：偏光子
１４                ：リフレクタ
２０                ：ステージ
３０                ：ステージ駆動部
３１                ：ステージガイドレール
３２                ：駆動部
１００              ：偏光照射部
１０１              ：制御部
１０２              ：記憶部
１０３              ：入力部
１０４              ：出力部
【図１】
2018004946.tif 000003
【図２】
2018004946.tif 000004
【図３】
2018004946.tif 000005
【図４】
2018004946.tif 000006
【図５】
2018004946.tif 000007
【図６】
2018004946.tif 000008
【図７】
2018004946.tif 000009
【図８】
2018004946.tif 000010
【図９】
2018004946.tif 000011
【図１０】
2018004946.tif 000012
【図１１】
2018004946.tif 000013
【図１２】
2018004946.tif 000014
【図１３】
2018004946.tif 000015